(57)【要約】【課題】結束方法を工夫して、容易に結束帯部の両端側を連結した状態を維持できるようにするとともに、溶着又は接着剤を使用しないで被結束物品を結束できるようにする。【解決手段】所定の情報を表示する部位を有して、被結束物品を結束する表示タグ付き結束具において、表示札１１及び当該表示札１１の一辺から延在した結束帯１３とを有する本体１０と、Ｕ字型形状を有して、本体１０に取り付けられる留具２０とを備え、本体１０の結束帯１３は、両端側が互いに重合するよう被結束物品の外周に巻き回されて、留具２０は、重ね合わされた結束帯１３の両端側を、Ｕ字型の内側の両壁面で把持するものである。【選択図】      図１
2008150080.tif 000002
【特許請求の範囲】
【請求項１】
所定の情報を表示する部位を有して、被結束物品を結束する表示タグ付き結束具において、
表示部及び当該表示部の一辺から延在する結束帯部とを有する本体部材と、
Ｕ字型形状を有して、前記本体部材に取り付けられる留具部材とを備え、
前記本体部材の前記結束帯部は、両端側が互いに重合するよう前記被結束物品の外周に巻き回され、
前記留具部材は、重合している前記結束帯部の両端側を、Ｕ字型の内側の両壁面で把持することを特徴とする表示タグ付き結束具。
【請求項２】
前記本体部材は、
前記表示部と前記結束帯部との間に連結部を有することを特徴とする請求項１に記載の表示タグ付き結束具。
【請求項３】
前記留具部材は、
Ｕ字型の内壁面の一方又は両方に突起部を有することを特徴とする請求項１に記載の表示タグ付き結束具。
【請求項４】
前記結束帯部は、
長手方向の両端側の各々に所定の大きさの孔部を有し、
前記被結束物品の外周に巻き回されて互いに重ね合わせられた各々の前記孔部を、前記留具部材の前記突起部に嵌合されることを特徴とする請求項３に記載の表示タグ付き結束具。
【請求項５】
被結束物品を結束させる結束具において、
長手方向の両端側の各々に所定の大きさの孔部を有する結束帯部材と、
Ｕ字型形状に構成され、Ｕ字型の内壁面の一方又は両方に突起部を有する留具部材とを備え、
前記結束帯部材は、前記被結束物品の外周に巻き回されて、各々の前記孔部を互いに重ね合わせられ、
前記留具部材は、重ね合わせられた前記孔部に前記突起部を嵌合させて、前記結束帯部材を把持することを特徴とする結束具。
【発明の詳細な説明】
【技術分野】
【０００１】
この発明は、食品や日用雑貨等の梱包に適用可能な表示タグ付き結束具及び結束具に関する。詳しくは、食品や日用雑貨を入れた袋等の被結束物品の外周に巻き回されて、結束帯部の重ね合わせられた両端側を把持する、Ｕ字型の留具部材を備え、結束帯部の両端側の重合状態を維持できるようにするとともに、溶着又は接着剤を使用しないで被結束物品を結束できるようにしたものである。
【背景技術】
【０００２】
従来、食品、日用雑貨等を梱包した袋が閉じられる結束位置に、袋の内容物に係る情報が記載された表示タグを取り付ける場合が多くある。このような場合には、表示タグ付き結束具により、袋が閉じられていることが多い。これらの表示タグには、紙製、プラスチック製等の柔軟性を有する部材が使用されることが多く、結束具には、金属製、繊維製、紙製、又はプラスチック製の紐部材が使用されることが多い。
【０００３】
これに関連して、特許文献１示すような硬貨収納袋等に取り付けられる内容物表示札が開示されている。この内容物表示札によれば、情報を記載されるシート片の一端部を折り返された重合部に紐挿通孔を設け、紐挿通孔の引裂き抵抗を大きくするとともに、使用寿命を長くするというものである。
【０００４】
また、特許文献２示すような札も開示されている。この札によれば、上下同形状の頭合わせに形成された任意形状の札体を備え、裏面全体に接着剤を塗布して頭合部の裏に環紐の両端を突合わせにして介入し、同部において札体を二つ折りとして表裏部を一枚に重合させるようにすることにより、札体を非常に丈夫にできるというものである。
【０００５】
一方、表示タグを、プラスチック製の結束具に取り付ける方法も使用されている。このような表示タグ付き結束具によれば、金属製の部材が使用されないので、出荷直前の金属混入検査が可能になり、食品の梱包に応用する場合に安全性を向上できる。
【０００６】
例えば、食パンの梱包等に使われるような、弾力性を有するプラスチック製の結束具に、プラスチック製の表示タグを取り付ける方法もある。しかし、このような表示タグ付き結束具を製造する場合においても、弾力性を有する結束具と、柔軟性を有する表示タグは異素材であることが多く、別工程で製造され、圧着又は接着により連結されていることが多い。
【０００７】
またこれに関連して、特許文献３に示すような袋を閉鎖するための閉じ具が開示されている。この閉じ具によれば、ストラップを永久接続部において接続してループ状に閉鎖し、袋を閉じることができる閉じ具において、永久接続部において接続された後で、ストラップの内側部と外側部とを分離させてループを開放できるようにするとともに、外側部に形成された開口に内側部を挿入して、解除可能に接続できるようにしたものである。これにより、開口後に、再び閉じることが容易になるというものである。
【０００８】
【特許文献１】実開昭５９−１４４６８１号公報（第１及び３頁、図１）
【特許文献２】実開昭５７−１７０１６５号公報（第１及び２頁、図１）
【特許文献３】特開２００２−２４０８３６号公報（第３及び５頁、図１）
【発明の開示】
【発明が解決しようとする課題】
【０００９】
しかし、従来例に係る内容物表示札（特許文献１）及び札（特許文献２）によれば、表示タグと紐部材を連結する工程が必要になるとともに、紐部材の両端部をねじる、結ぶ、ステープラ等で留める等して結束させる工程が必要になる。
【００１０】
また、従来例に係る閉じ具（特許文献３）によれば、永久接続部を、永久的な接着剤接合及び／又は溶着接合するものであり、接着剤接合による場合は、食品の梱包に応用する場合に衛生上好ましくない他、溶着接合による場合は、熱に弱い製品を変形、変質させるおそれがある。
【００１１】
そこで本発明は、上述の問題に鑑み創作されたものであり、容易に結束帯部又は結束帯部材の両端側の重合状態を維持できるようにするとともに、溶着又は接着剤を使用しないで被結束物品を結束できるようにした表示タグ付き結束具及び結束具を提供することを目的とする。
【課題を解決するための手段】
【００１２】
この発明に係る表示タグ付き結束具は、所定の情報を表示する部位を有して、被結束物品を結束する表示タグ付き結束具において、表示部及び当該表示部の一辺から延在する結束帯部とを有する本体部材と、Ｕ字型形状を有して、本体部材に取り付けられる留具部材とを備え、本体部材の結束帯部は、両端側が互いに重合するよう被結束物品の外周に巻き回され、留具部材は、重合している結束帯部の両端側を、Ｕ字型の内側の両壁面で把持することを特徴とするものである。
【００１３】
この発明に係る表示タグ付き結束具によれば、被結束物品の外周に巻き回されて互いに重ね合わせられた結束帯部の両端側を、Ｕ字型の留具部材が把持するものである。従って、結束帯部の両端側の重合状態を維持できるので、溶着又は接着剤を使用しないで被結束物品を結束できる。
【００１４】
この発明に係る結束具は、被結束物品を結束させる結束具において、長手方向の両端側の各々に所定の大きさの孔部を有する結束帯部材と、Ｕ字型形状に構成され、Ｕ字型の内壁面の一方又は両方に突起部を有する留具部材とを備え、結束帯部材は、被結束物品の外周に巻き回されて、各々の孔部を互いに重ね合わせられ、留具部材は、重ね合わせられた孔部に突起部を嵌合させて、結束帯部材を把持することを特徴とするものである。
【００１５】
この発明に係る結束具によれば、内壁面に突起部を有するＵ字型の留具部材が、当該突起部を結束帯部材の孔部と嵌合した状態で、結束帯部材の両端側を把持するものである。従って、結束帯部材の両端側の重合状態を確実に維持できるので、溶着又は接着剤を使用しないで被結束物品を結束できる。
【発明の効果】
【００１６】
この発明に係る表示タグ付き結束具によれば、被結束物品の外周に巻き回されて、結束帯部の互いに重ね合わせられた両端側を把持する、Ｕ字型の留具部材を備えるものである。この構成により、結束帯部の両端側の重合状態を維持できるので、溶着又は接着剤を使用しないで被結束物品を結束できる。また、本体部材と留具部材との２つのパーツを準備するだけで容易に被結束物品に装着できるので、梱包効率を向上できる。更に、溶着又は接着剤を使用しないで表示タグを取り付けられるので、食品の梱包に適用した場合に、衛生上の安全性を向上できる。
【００１７】
この発明に係る結束具によれば、結束帯部材の重ね合わせられた両端側の孔部を把持する、Ｕ字型の内壁面に突起部を有した留具部材を備えるものである。この構成により、結束帯部材の両端側の重合状態を維持できるので、溶着又は接着剤を使用しないで被結束物品を確実に結束できる。また、結束帯部材と留具部材との２つのパーツを準備するだけで容易に被結束物品に装着できるので、梱包効率を向上できる。更に、溶着又は接着剤を使用しないで取り付けられるので、食品の梱包等に適用した場合に安全性を向上できるのに加え、電線の結束等のように強い結束力が求められるものの結束に適用した場合でも、確実に結束を行なえる。
【発明を実施するための最良の形態】
【００１８】
続いて、この発明に係る表示タグ付き結束具及び結束具について、図面を参照しながら説明をする。
【実施例１】
【００１９】
図１は、本発明に係る第１の実施例としての表示タグ付き結束具１００の構成例を示す斜視図である。図１に示す表示タグ付き結束具１００は、所定の情報を表示する部位を有して、被結束物品の一例を構成する袋２００の開口部２０１を結束する。表示タグ付き結束具１００は、本体１０、留具２０を備えて構成される。
【００２０】
本体１０は、本体部材の一例を構成し、表示札１１、連結ネック１２、結束帯１３を有している。表示札１１は、表示部の一例を構成し、所定の情報を表示する部位である。表示札１１は、例えば、薄く柔軟性を有するプラスチック、紙等により、表面の中央部に印刷部１１ａを有する所定の形状に形成される。表示札１１の一辺、図１における上方の辺には、この例では、連結ネック１２の一方の端部が連結される。
【００２１】
連結ネック１２は、連結部の一例を構成し、所定の長さを有する部位である。連結ネック１２は、この例では、表示札１１と同素材により帯形状に構成され、表示札１１と結束帯１３とを分離させて、表示札１１の可動領域を広げるとともに、表示札１１に外力が作用してねじられる等して、結束帯１３から切断されることを防ぐ。連結ネック１２の他方の端部には、結束帯１３の短手方向の側方部位が連結される。
【００２２】
結束帯１３は、結束帯部の一例を構成し、この例では、連結ネック１２と同素材により帯形状に構成され、この例では連結ネック１２と略Ｔ字型に連結される。結束帯１３は、袋２００の開口部２０１の外周に巻き回され、両端側を重ね合わせられる。また、この例では、結束帯１３の長手方向の両端側の各々には、孔部の一例を構成するスリット１３ａが所定の大きさに開口されている（図２参照）。結束帯１３の互いに重ね合わせられた両端側は、留具２０により把持されて重合状態を維持する。
【００２３】
留具２０は、留具部材の一例を構成し、本体１０に取り付けられるものである。留具２０は、Ｕ字型形状を有して、Ｕ字型の内側の両壁面で結束帯１３を把持する。またこの例では、留具２０は、両方の内壁面に突起部２１を有し、当該突起部２１を、結束帯１３の重ね合わせられたスリット１３ａに嵌合させる（図３参照）。以上のようにして、表示タグ付き結束具１００が構成される。以下で、表示タグ付き結束具１００の製造方法について説明をする。
【００２４】
図２は、本体１０の部材例を示す正面図である。図２に示す本体１０を製造するには、まず、厚さ１〜２ｍｍ程度の、柔軟性を有するプラスチックのシート状素材又は紙を準備する。所定のシート状素材又は紙が準備できたら、以下のように本体１０を切り出す。
【００２５】
本体１０を切り出す場合は、表示札１１、連結ネック１２及び結束帯１３が連続された、１つの所定形状の部材を切り出すようにするとよい。ここで、所定形状とは、一例として四つの頂点に丸みを帯びた四角形の上方側面の中央部に、Ｔ字型の帯状の部位が連結された展開形状を指す。
【００２６】
所定形状の部材を切り出したら、Ｔ字型上部の帯状の部位（結束帯１３）の長手方向の両端側に、例えばカッターでスリット１３ａを開口する。スリット１３ａは、この例では、結束帯１３の長手方向と長辺を平行になされた、長方形のスリット状に開口される。
【００２７】
以上のように本体１０が形成できたら、四角形の部位（表示札１１）の印刷部１１ａに所定の情報を記載する。情報を記載するには、直接印刷や印字、打刻等をしてもよいし、予め用意しておいた所定の情報が印刷されたシール等を貼ってもよい。このようにして、本体１０を製造することができる。次に留具２０の製造方法について説明をする。
【００２８】
図３Ａ及びＢは、留具２０の部材例を示す斜視図及びＸ１−Ｙ１平面で切断した断面図である。図３Ａ及びＢに示す留具２０を製造するには、まず、縦方向の長さｌ１、横方向の長さｌ３、厚み方向の長さｌ２の長方形の凹部の側面方向から、開口部２４及び２５、凹部２６を象った、柱状の突出部が突出形成された、所定形状の金型を準備する。また、ここで開口部２４、開口部２５、凹部２６は、互いに側面を接するようにして配置されるものとする。
【００２９】
所定形状の金型を準備できたら、弾力性に富んだプラスチック樹脂、例えば、ポリエチレン、ポリプロピレン等を溶融状態で流し込んで固め、基本部材を形成する。この時の凹部２６の厚み方向の長さは、図３Ｂに示す留具２０の開口幅Ｌ２を決定するようになる。なお、この例においては、長さｌ２と開口幅Ｌ２とは、ほぼ等しい大きさになっている。固化した基本部材を金型から取り出したら、閉塞面２７の両端を扇形に削り取り、凹部２３を形成する。この時の閉塞面２７の残った横幅は、図３Ａに示すように、閉塞面の幅Ｌ１となる。また、横方向の長さｌ３は、開口面の幅Ｌ３となる。
【００３０】
またこの時、２つの内壁面から突出する突起部２１は、互いの端部が可能な限り近くなるように形成する方が好ましい。一方突起部２２は、互いの端部が多少離れているように形成してもよい。その場合は、金型を準備する段階で、開口部２５と凹部２６を象った突出部の側部を互いに連結させて突出形成するようにする。また、突起部２２を突出させないで留具２０を形成することもできる。以上のようにして、留具２０を製造することができる。
【００３１】
なお、この例では、初めに直方体の基本部材を形成してから、凹部２３を切削形成するようにしたが、それに限られることはなく、開口部２４、開口部２５、凹部２６を象ったスライド可能な金型と、側面から型締めできるコアとなる金型を使用して、一発形成するようにしてもよい。次に、表示タグ付き結束具１００の袋２００への取付工程に使用される取付工具について簡単に説明をする。
【００３２】
図４Ａ及びＢは、取付工具の構成例を示す上面図及び側面図である。この例で使用される取付工具は、巻き付けアーム８１及び８２、開口ポール９１〜９４、取り付けアーム９５により構成される。
【００３３】
図４Ａに示す巻き付けアーム８１及び８２は、結束帯１３を開口部２０１に巻き回して巻き付けるものであり、駆動棒８１ａ及び８２ａに連結されて、本体１０の、図４における左右方向に配置されて矢線Ａ１方向に移動可能に設けられる。
【００３４】
巻き付けアーム８１及び８２は、結束帯１３を巻き付けた時の径に合わせた半径ｒの仮想円Ｓ（図５Ａ参照）に沿うように形成されたＵ字型の湾曲面を有し、当該湾曲面を互いに向き合わせるように配置される。また、互いの仮想円Ｓの中心は、Δｄずれるように配置されている（図５Ａ参照）。更に、図４Ｂに示すように、巻き付けアーム８１及び８２は、結束帯１３とほぼ同等の高さ方向の幅を有しており、結束帯１３の高さに合わせて配置される。
【００３５】
巻き付けアーム８１及び８２の上部には、開口ポール９１〜９４が配置される。開口ポール９１〜９４は、留具２０を開口させるものであり、本体１０の左右方向から突出するように配置され、位置を固定される。
【００３６】
開口ポール９１〜９４は、開口ポール９１と９３との距離であり、開口ポール９２と９４との距離である距離Ｌ４が、留具２０の開口面の幅Ｌ３よりも小さく、閉塞面の幅Ｌ１よりも大きくなるように、更に、開口ポール９１と９２とのピッチであり、開口ポール９３と９４とのピッチであるピッチＬ５が留具２０の開口幅Ｌ２よりも小さくなるようにして、スリット１３ａの上部に配置される。
【００３７】
開口ポール９１〜９４の上部には、図４Ｂに示すように取り付けアーム９５が配置される。取り付けアーム９５は、留具２０を把持して移動させるものであり、駆動棒９５ａに連結されて矢線Ａ２方向に移動可能に設けられる。取り付けアーム９５は、留具２０の閉塞面の幅Ｌ１よりも小さい幅を有し、留具２０の図４Ｂにおける上端部を把持する。以上のような取付工具が使用される。以下で取付工程について説明をする。
【００３８】
また、この例の取付工程は、本体１０を開口部２０１に巻き付ける巻付工程と、巻き付けられた本体１０を留具２０により嵌合する嵌合工程とに分類される。従って、以下、２つの工程に分けて説明をする。
【００３９】
［巻付工程］
図５Ａ〜Ｃは、本体１０の取付例（その１）を示す上面図である。図５Ａに示す本体１０は、開口部２０１の結束したい位置に結束帯１３の高さを合わせて、袋２００の側方に配置されている。またここでは、図の煩雑化を回避するため、袋２００は開口部２０１の外輪線のみを破線で図示し、開口ポール９１〜９４及び取り付けアーム９５は省略する。
【００４０】
図５Ａに示す開口部２０１及び本体１０は、図示しない固定具によって固定されている。開口部２０１は、結束部をある程度収束された状態で固定されており、本体１０は、表示札１１等、結束帯１３以外の部位を把持され、結束帯１３の両端側は開放された状態で固定されている。
【００４１】
本体１０の結束帯１３を開口部２０１に巻き付ける場合、巻き付けアーム８１及び８２が、駆動棒８１ａ及び８２ａにより、図５Ｂに示すように矢線Ａ３及びＡ３’の方向に移動される。巻き付けアーム８１及び８２の移動に伴い、本体１０の結束帯１３は湾曲され、開口部２０１に徐々に巻き回されて巻き付けられる。
【００４２】
図５Ｃに示すように、巻き付けアーム８１及び８２が、矢線Ａ３及びＡ３’の方向に更に移動されると、結束帯１３は更に開口部２０１に巻き付けられ、両端側のスリット１３ａが重ね合わせられる。このようにして、本体１０の結束帯１３が、開口部２０１に巻き付けられる。
【００４３】
図６は、本体１０の取付例（その２）を示す側面図である。図６に示すスリット１３ａの上部には、取り付けアーム９５に把持された留具２０が配置されている。
【００４４】
［嵌合工程］
図７Ａ〜Ｃは、留具２０の取付例（その１）を示す断面図である。なお、図７Ａは、図６のＹ２−Ｙ２矢視断面図を構成する。図７Ａに示す開口ポール９１及び９２のピッチＬ５は、留具２０の開口幅Ｌ２よりも多少小さく、開口部２４及び２５の幅よりも多少大きくなるように設定されている。
【００４５】
留具２０を結束帯１３に嵌合させる場合、駆動棒９５ａにより、取付アーム９５が矢線Ａ４の方向に下降移動される。留具２０は、取付アーム９５の下降に伴い、開口ポール９１〜９４によって、図７Ｂに示すように開口面を開口される。更に下降すると、留具２０の凹部２３により、開口ポール９１〜９４が留具２０から抜けて外れる。弾性を有する留具２０は、これにより閉口し、図７Ｃに示すように突起部２１をスリット１３ａに嵌合させる。このようにして本体１０が、留具２０により連結される。
【００４６】
図８Ａ及びＢは、留具２０の取付例（その２）を示す上面図及び側面図である。図８Ａ及びＢに示す留具２０は、結束帯１３の両端部を把持して連結させ、袋２００の開口部２０１を結束している。
【００４７】
このように、第１の実施例に係る表示タグ付き結束具１００によれば、被結束物品の外周に巻き回されて重ね合わせられた結束帯１３の両端側を、Ｕ字型の留具２０が把持するものである。従って、結束帯１３の両端側の重合状態を維持できるので、溶着又は接着剤を使用しないで被結束物品を結束できる。また、２つのパーツ、本体１０及び留具２０を準備するだけで容易に被結束物品に装着できるので、梱包効率を向上できる。更に、溶着又は接着剤を使用しないで表示タグを取り付けられるので、食品の梱包に応用した場合に、衛生上の安全性を向上できる。
【００４８】
また、突起部２１をスリット１３ａに嵌合させることにより、結束帯１３の両端側を強固に連結できる。
【００４９】
更に、本体１０及び留具２０を金属以外の素材で形成することにより、出荷直前の金属混入検査が可能になり、食品や玩具、衣類等の梱包に応用する場合に安全性を向上できる。
【実施例２】
【００５０】
図９は、本発明に係る第２の実施例としての留具４０の構成例を示す斜視図及びＸ３−Ｙ３平面で切断した断面図である。図９に示す留具４０は、留具部材の一例を構成し、第１の実施例の本体１０に取り付けられるものである。
【００５１】
留具４０は、例えば弾力性に富んだプラスチック樹脂により、Ｕ字型形状を有して、Ｕ字型の一方の内壁面に突起部４１を有するように構成される。留具４０は、突起部４１を結束帯１３の重ね合わせられたスリット１３ａに嵌合させ、結束帯１３の両端側を連結する。
【００５２】
留具４０を製造するには、まず、長方形の凹部の底面から、開口部４４、開口部４５及び凹部４６を象った、柱状の突出部が突出形成された、所定形状の金型を準備する。所定形状の金型を準備できたら、例えば、ポリエチレン、ポリプロピレン等を流し込んで固め、基本部材を形成する。金型から固化した基本部材を取り出したら、閉塞面４７の両端を扇形に削り取り、凹部４３を形成する。
【００５３】
留具４０を結束帯１３に嵌合させる場合は、第１の実施例の図４に示した取付工具を使用して、図５〜図８に係る記載と同様の手順で取り付けるようにするとよい。
【００５４】
このように、第２の実施例に係る留具４０によれば、留具２０に比べて更に簡略化された形状になされる。従って、容易に設計、製造することができる。
【実施例３】
【００５５】
図１０は、本発明に係る第３の実施例としての結束具３００の構成例を示す斜視図である。図１０に示す結束具３００は、第１の実施例と同様の袋２００の開口部２０１や、電線等の被結束物品を結束させるものである。結束具３００は、結束帯３３と留具３０とを備えて構成される。
【００５６】
図１１Ａ及びＢは、結束帯３３及び留具３０の構成例を示す斜視図である。図１１Ａに示す結束帯３３は、結束帯部材の一例を構成し、長手方向の両端側に、孔部の一例を構成するスリット３３ａを有している。スリット３３ａは、所定の大きさを有するように、この例では長方形のスリット状に開口される。結束帯３３は、被結束物品の外周に巻き回されて、両端側のスリット３３ａを重ね合わせられる。また結束帯３３は、第１の実施例の結束帯１３と同様に、薄く柔軟性を有するプラスチック、紙等により構成される。
【００５７】
図１１Ｂに示す留具３０は、留具部材の一例を構成し、Ｕ字型形状に構成され、Ｕ字型の両方の内壁面に突起部３１を有するものである。留具３０は、突起部３１を、重ね合わせられたスリット３３ａに嵌合させて、結束帯３３を把持する。留具３０は、第１の実施例の留具２０と同様に、弾力性に富んだプラスチック樹脂、例えば、ポリエチレン、ポリプロピレン等により構成される。以上のように、結束帯３３と留具３０が構成される。以下で、被結束物品への結束具３００の取付方法について簡単に説明をする。
【００５８】
図１２Ａ〜Ｃは、結束具３００の取付例を示す斜視図である。図１２Ａに示す結束帯３３は、被結束物品の外周に巻き回され、図１２Ｂに示すように両端側のスリット３３ａを重ね合わせられる。重ね合わせられたスリット３３ａは、留具３０により図１２Ｃに示すように把持されて重合状態が維持されて連結される。このようにして、結束具３００を取り付けることができる。また、この取付工程は、図４に示した取付工具を使用して、図５〜８に係る記載と同様の手順で行うことができる。
【００５９】
このように、第３の実施例に係る結束具３００によれば、内壁面に突起部３１を有するＵ字型の留具３０が、当該突起部３１を結束帯３３のスリット３３ａと嵌合させて、結束帯３３の両端側を把持するものである。従って、結束帯３３の両端側の連結状態を維持できるので、溶着又は接着剤を使用しないで被結束物品を結束できる。また、２つのパーツ、結束帯３３及び留具３０を準備するだけで容易に被結束物品に装着できるので、梱包効率を向上できる。更に、溶着又は接着剤を使用しないで取り付けられるので、食品の梱包等に適用した場合に安全性を向上できるのに加え、電線の結束に適用した場合でも確実に結束を行なえる。
【産業上の利用可能性】
【００６０】
この発明は、菓子のパッケージング、ギフトラッピング、植物のタグ付け、衣類のタグ付け等に適用して極めて好適である。
【図面の簡単な説明】
【００６１】
【図１】第１の実施例としての表示タグ付き結束具１００の構成例を示す斜視図である。
【図２】本体１０の部材例を示す正面図である。
【図３】（Ａ）及び（Ｂ）は、留具２０の部材例を示す斜視図及びＸ１−Ｙ１平面で切断した断面図である。
【図４】（Ａ）及び（Ｂ）は、取付工具の構成例を示す上面図及び側面図である。
【図５】（Ａ）〜（Ｃ）は、本体１０の取付例（その１）を示す上面図である。
【図６】本体１０の取付例（その２）を示す側面図である。
【図７】（Ａ）〜（Ｃ）は、留具２０の取付例（その１）を示す断面図である。
【図８】（Ａ）及び（Ｂ）は、留具２０の取付例（その２）を示す上面図及び側面図である。
【図９】第２の実施例としての留具４０の構成例を示す斜視図及びＸ２−Ｙ２平面で切断した断面図である。
【図１０】第３の実施例としての結束具３００の構成例を示す斜視図である。
【図１１】（Ａ）及び（Ｂ）は、結束帯３３及び留具３０の構成例を示す斜視図である。
【図１２】（Ａ）〜（Ｃ）は、結束具３００の取付例を示す斜視図である。
【符号の説明】
【００６２】
１０・・・本体、１１・・・表示札、１２・・・連結ネック、１３，３３・・・結束帯、１３ａ，３３ａ・・・スリット、２０，３０，４０・・・留具、２１，３１・・・突起部、１００・・・表示タグ付き結束具、２００・・・袋、３００・・・結束具
【図１】
2008150080.tif 000003
【図２】
2008150080.tif 000004
【図３】
2008150080.tif 000005
【図４】
2008150080.tif 000006
【図５】
2008150080.tif 000007
【図６】
2008150080.tif 000008
【図７】
2008150080.tif 000009
【図８】
2008150080.tif 000010
【図９】
2008150080.tif 000011
【図１０】
2008150080.tif 000012
【図１１】
2008150080.tif 000013
【図１２】
2008150080.tif 000014